(57)【要約】      （修正有）【課題】食事等の飲食の際にも顔面から外す必要がなく夏場でも暑苦しいことがないので、特に感染症流行の際に有効な気体マスクセットを提供する。【解決手段】気体マスクセット５０は、使用者Ｍ１、Ｍ２の口ＭＤと鼻ＭＣとを少なくとも覆わないように使用者Ｍ１、Ｍ２の頭部ＭＡ又は顔部ＭＢに着脱自在に装着可能な装着部材５２と、装着部材５２に支持され、使用者Ｍ１、Ｍ２の顔面に沿って気体を吹き出してエアーカーテンＡを形成する気体吹出部材５４と、気体吹出部材５４に気体を供給する気体供給手段と、を備え、エアーカーテンＡにより使用者Ｍ１、Ｍ２の少なくとも口ＭＤと鼻ＭＣとを気体で覆う。【選択図】図８
0003228244.tif 000002
【実用新案登録請求の範囲】
【請求項１】
使用者の口と鼻とを少なくとも覆わないように前記使用者の頭部又は顔部に着脱自在に装着可能な装着部材と、
前記装着部材に支持され、前記使用者の顔面に沿って気体を吹き出してエアーカーテンを形成する気体吹出部材と、
前記気体吹出部材に前記気体を供給する気体供給手段と、を備え前記エアーカーテンにより前記使用者の少なくとも前記口と前記鼻とを前記気体で覆うことを特徴とする気体マスクセット。
【請求項２】
前記気体は、空気、水素ガス、酸素ガス、窒素ガスの単一ガス又は２種以上の混合気体である請求項１に記載の気体マスクセット。
【請求項３】
前記気体は、除菌性を有する気体を含有する請求項１又は２に記載の気体マスクセット。
【請求項４】
前記気体吹出部材は可撓性を有する棒筒形状に形成され、前記気体吹出部材の長手方向に複数の吹出孔又は吹出スリットが形成されている請求項１から３の何れか１項に記載の気体マスクセット。
【請求項５】
前記気体吹出部材の可撓性は、アルミニウムの線材を前記気体吹出部材の長手方向に配設して形成する請求項４に記載の気体マスクセット。
【請求項６】
前記気体吹出部材の前記長手方向には、前記複数の吹出孔が２列以上又は前記吹出スリットが２列以上形成されている請求項４又は５に記載の気体マスクセット。
【請求項７】
前記気体吹出部材は前記気体を上向きの気流として吹き出す請求項１から６の何れか１項に記載の気体マスクセット。
【請求項８】
前記気体吹出部材から吹き出す前記気体の平均吹出風速が毎秒２〜５ｍの範囲である請求項１から７の何れか１項に記載の気体マスクセット。
【請求項９】
前記気体供給手段には、前記気体を供給する供給ホースの一端を連結する連結具が設けられると共に前記連結具は前記供給ホースが引っ張られると前記供給ホースが外れる連結構造に形成されている請求項１から８の何れか１項に記載の気体マスクセット。
【請求項１０】
前記気体供給手段には、前記気体吹出部材に供給する気体を冷却する冷却部を有する請求項１から９の何れか１項に記載の気体マスクセット。
【請求項１１】
前記装着部材に支持され、前記気体吹出部材から吹き出された気体を吸引する気体吸引部材と、
前記気体吸引部材に吸引力を発生する気体吸引手段と、を更に備えた請求項1から１０の何れか１項に記載の気体マスクセット。
【請求項１２】
前記気体吸引手段には、前記気体吸引部材で吸引した気体を除菌する除菌部が設けられる請求項１１に記載の気体マスクセット。
【請求項１３】
前記気体供給手段は、持ち運びが容易なポータブル型の水素発生装置であって、
水を入れるタンクと、
水電気分解用電極材料からなる水素極と酸素極、ＰＥＭ膜から構成され、前記水を電気分解して水素ガスを生成する電極部と、
前記水素ガスの生成量を調整する制御基板と、
前記水素ガスと空気を混ぜた吐出ガスとして吐出口から吐出するエアポンプと、を備えた請求項1から１２の何れか１項に記載の気体マスクセット。
【請求項１４】
前記水素ガスは、毎分４０〜６０ｍｌ生成され、前記気体吹出部材に供給される吐出ガスの量として毎分５００〜１５００ｍｌである請求項１３に記載の気体マスクセット。
【考案の詳細な説明】
【技術分野】
【０００１】
本考案は気体マスクセットに係り、通常のマスクとは異なり食事中でも顔面から外す必要がないので、特に感染症対策に有効な気体マスクセットに関する。
【背景技術】
【０００２】
近年、インフルエンザを始めとする種々の感染症や、スギやヒノキ等による花粉症などに対する対策として、人の口と鼻を覆うためのマスクの装着の重要性が高まっている。
【０００３】
特に感染症流行の際には、既に感染症に感染した患者に留まらず、予防のためのマスクを一日中装着する習慣が定着しつつある。感染症の種類のなかには、無症状であっても他人に感染させてしまうものもあり、密集・密接・密着の３密状態を避けること及び密着性のよいマスクを常時装着して飛沫感染を防止することが感染症対策において益々重要になっている。
【０００４】
密着性を改良したマスクとして、例えば、特許文献１がある。このマスクは、外面の形状を所定形状に保持可能な保形性を有し、内面で使用者の顔の鼻孔から下の範囲の少なくとも一部を覆うためのマスク本体と、マスク本体の両側それぞれに連結された一対の耳掛け部と、を備え、耳掛け部は、少なくとも、マスク本体との接合部から使用者の耳に当接する位置までの範囲に、使用者の頭部に対するマスク本体の位置を保持可能な保形性を有するようにした構成のものが提案されている。これにより、使用者の顔の形状の外観を使用者の所望する形状に近づけることができるので、密着性の良いマスクを提供できるとされている。
【先行技術文献】
【特許文献】
【０００５】
【特許文献１】特開２０２０−７６９１号公報
【考案の概要】
【考案が解決しようとする課題】
【０００６】
しかしながら、密着性の良いマスクであっても居酒屋やレストラン等において食事等の飲食の際には、マスクを顔面から外さなくてはならず、特に向かい合って食事をする場合や多人数で食事をする場合には飛沫感染の危険がある。また、夏場に密着性の良いマスクをすることは、暑苦しいだけでなく熱中症の危険もある。
【０００７】
本考案は、このような事情に鑑みてなされたものであり、食事等の飲食の際にも顔面から外す必要がなく夏場でも暑苦しいことがないので、特に感染症流行の際に有効な気体マスクセットを提供することを目的とする。
【課題を解決するための手段】
【０００８】
前記目的を達成するために、本考案の気体マスクセットは、使用者の口と鼻とを少なくとも覆わないように使用者の頭部又は顔部に着脱自在に装着可能な装着部材と、装着部材に支持され、使用者の顔面に沿って気体を吹き出してエアーカーテンを形成する気体吹出部材と、気体吹出部材に気体を供給する気体供給手段と、を備えエアーカーテンにより使用者の少なくとも口と鼻とを気体で覆うことを特徴とする。
【０００９】
ここで、エアーカーテンとは空気によるエアーカーテンに限らず他の気体によるエアーカーテンも含む。また、気体にはミストも含むものとする。
【００１０】
本考案の気体マスクセットは、使用者の頭部又は顔部に使用者の口と鼻とを少なくとも覆わないようした装着部材を装着し、装着部材に支持された気体吹出部材に気体供給手段から気体を供給して使用者の顔面に沿ってエアーカーテンを形成する。
【００１１】
これにより、顔面に沿って形成されたエアーカーテンが使用者の少なくとも口と鼻とを覆うので、通常のマスクと同様に飛沫感染を防止することができる。また、通常のマスクとは異なりエアーカーテンで少なくとも口と鼻を覆うので、食事等の飲食の際にも顔面から外す必要がなく夏場でも暑苦しいことがない。
【００１２】
したがって、例えば居酒屋やレストラン等において、向かい合って食事をする場合や多人数で食事をする場合であっても飛沫感染の危険を効果的に防止することができると共に夏場における熱中症の危険も効果的に防止できる。
【００１３】
本考案の態様において、気体は、空気、水素ガス、酸素ガス、窒素ガスの単一ガス又は２種以上の混合気体であることが好ましい。これらの気体は人体に無害であり、特に水素ガスは健康改良に良いことが近年分かってきており注目されている。
【００１４】
本考案の態様において、気体は、除菌性を有する気体を含有することが好ましい。除菌性を有しても人体に無害な気体や使用濃度を守れば問題のない気体もあり、このような気体でエアーカーテンを形成することで飛沫感染の危険を一層防止できる。したがって、例えば、空気、水素ガス、酸素ガス、窒素ガスの単一ガス又は２種以上の混合気体に除菌性を有する気体を含有させることもできる。
【００１５】
本考案の態様において、気体吹出部材は可撓性を有する棒筒形状に形成され、気体吹出部材の長手方向に複数の吹出孔又は吹出スリットが形成されていることが好ましい。気体吹出部材に可撓性をもたせることにより、顔面の凹凸に沿って気体吹出部材を撓ませたり曲げたりすることができ、顔面に密着性の良いエアーカーテンを形成することができる。
【００１６】
本考案の態様において、気体吹出部材の可撓性は、アルミニウムの線材を気体吹出部材の長手方向に配設して形成することが好ましい。アルミニウムの線材は他のステンレスや鉄の線材に比べて軽く曲げ易い性質がある。
【００１７】
本考案の態様において、気体吹出部材の長手方向には、複数の吹出孔が２列以上又は吹出スリットが２列以上形成されていることが好ましい。これにより、エアーカーテンを複層枚積層させることができるので、飛沫感染を一層防止できる。
【００１８】
本考案の態様において、気体吹出部材は気体を上向きの気流として吹き出すことが好ましい。これにより、使用者の顔面に沿って上向流のエアーカーテンが形成されるので、飛沫はエアーカーテンに同伴されて使用者の頭部上方に運ばれて拡散されるので、感染症対策として好ましい。一方、下向流のエアーカーテンの場合には、飛沫はエアーカーテンに同伴されて使用者の足元の床面に運ばれて滞留し易くなるので、感染症対策としては好ましくない。
【００１９】
本考案の態様において、気体吹出部材から吹き出す気体の平均吹出風速が毎秒２〜５ｍの範囲であることが好ましい。
【００２０】
本考案の態様において、気体供給手段には、気体を供給する供給ホースの一端を連結する連結具が設けられると共に連結具は供給ホースが引っ張られると供給ホースが外れる連結構造に形成されていることが好ましい。これにより、使用者が例えば急に立ち上がって供給ホースが引っ張られても、供給ホースは気体供給手段から外れる。これにより、使用者が何らかのケガを負うことも気体供給手段が破損することもない。
【００２１】
本考案の態様において、気体供給手段には、気体吹出部材に供給する気体を冷却する冷却部を有することが好ましい。これにより、使用者は冷却されたエアーカーテンの気流が形成されるので、夏場に使用すると涼しいだけでなく熱中症対策にもなる。
【００２２】
本考案の態様において、装着部材に支持され、気体吹出部材から吹き出された気体を吸引する気体吸引部材と、気体吸引部材に吸引力を発生する気体吸引手段と、を更に備えることが好ましい。これにより、使用者の顔面の上部にも下から上への気流の流れが発生するので、気体吹出部材から吹き出す気体量が少なくても使用者の顔面に沿ってエアーカーテンを確実に形成し易いというメリットがある。
【００２３】
本考案の態様において、気体吸引手段には、気体吸引部材で吸引した気体を除菌する除菌部が設けられることが好ましい。これにより、気体吸引部材で吸引した気体に菌やウイルスが混在していても、吸引した気体を除菌部で除菌してから室内に放出することができる。
【００２４】
本考案の態様において、気体供給手段は、持ち運びが容易なポータブル型の水素発生装置であって、水を入れるタンクと、水電気分解用電極材料からなる水素極と酸素極、ＰＥＭ膜から構成され、水を電気分解して水素ガスを生成する電極部と、水素ガスの生成量を調整する制御基板と、水素ガスと空気を混ぜた吐出ガスとして吐出口から吐出するエアポンプと、を備えることが好ましい。
【００２５】
これは、気体吹出部材を持ち運びが容易なポータブル型の水素発生装置とした場合の、水素発生装置の好ましい構成を示したものである。
【００２６】
本考案の態様において、水素ガスは、毎分４０〜６０ｍｌ生成され、気体吹出部材に供給される吐出ガスの量として毎分５００〜１５００ｍｌであることが好ましい。
【００２７】
これにより、水素ガスと空気との混合気体によって使用者の顔面に沿ってエアーカーテンが形成されるので、エアーカーテンによる飛沫遮蔽効果に加えて水素ガスによる使用者の健康改良効果も期待できる。
【考案の効果】
【００２８】
本考案の気体マスクセットによれば、食事等の飲食の際にも顔面から外す必要がないので、特に感染症流行の際に有効な気体マスクセットを提供することができる。
【図面の簡単な説明】
【００２９】
【図１】本考案の第1の実施の形態の気体マスクセットの全体構成図
【図２】使用者が第1の実施の形態の気体マスクセットを使用している模式図
【図３】気体マスクセットにおける吹出孔方式の気体吹出部材を説明する斜視図
【図４】気体マスクセットにおける吹出スリット方式の気体吹出部材を説明する斜視図
【図５】吹出孔を３列設けた気体吹出部材を説明する斜視図
【図６】吹出スリットを３列設けた気体吹出部材を説明する斜視図
【図７】本考案の第1の実施の形態の気体マスクセットの作用効果を説明する説明図
【図８】本考案の気体マスクセットを使用した２人の使用者が対面会話をしている模式図
【図９】本考案の第２の実施の形態の気体マスクセットの全体構成図
【図１０】使用者が第２の実施の形態の気体マスクセットを使用している模式図
【図１１】本考案の第２の実施の形態の気体マスクセットの作用効果を説明する説明図
【図１２】気体供給手段の一例であるポータブル型の水素発生装置を示す外観図
【図１３】水素発生装置の内部構成を示す正面図
【図１４】水素発生装置のブロック図
【図１５】水素発生装置の電極部を示す説明図
【図１６】水素発生装置の傾斜センサを示す平面図
【図１７】水素発生装置の底面図（携帯時）
【図１８】水素発生装置の底面図（使用時）
【考案を実施するための形態】
【００３０】
以下添付図面に従って、本考案に係る気体マスクセットの好ましい実施の形態について詳述する。
【００３１】
[気体マスクセットの第１の実施の形態]
図１は本考案の気体マスクセットの第１の実施の形態の全体構成を説明する斜視図であり、図２は使用者が気体マスクセットを使用している模式図である。
【００３２】
図１及び図２に示すように、本考案の気体マスクセット５０の第１の実施の形態は、主として、使用者Ｍ（図２参照）の頭部ＭＡ又は顔部ＭＢに着脱自在に装着可能な装着部材５２と、装着部材５２に支持される気体吹出部材５４と、気体吹出部材５４に気体を供給する気体供給手段５６（図１参照）と、で構成される。なお、本考案の気体マスクセット５０において、気体にはミスト状の気体も含むものとする。
【００３３】
（装着部材）
装着部材５２は、使用者Ｍの口ＭＤ（図７参照）と鼻ＭＣとを少なくとも覆わないように使用者Ｍの頭部ＭＡ又は顔部ＭＢに着脱自在に装着可能なものであれば特に限定されないが、本実施の形態では頭部ＭＡに装着する例として、ヘッドホーン等に使用される湾曲形状のヘッドバンド型の装着部材５２で説明する。なお、図示しないが、顔部ＭＢに装着する装着部材５２としては、例えばメガネフレーム構造のものを使用することができる。
【００３４】
頭部ＭＡに装着するヘッドバンド型の装着部材５２は、バンド部分５２Ａに長さ調整を行うスライドアジャスター５２Ｂ（図１参照）が設けられると共にバンド部分５２Ａの両端には、使用者Ｍの側頭部を挟み付ける一対のパッド部材５８が設けられる。一対のパッド部材５８は、吹出側パッド部材５８Ａと吸引側パッド部材５８Ｂとで構成される。一対のパッド部材５８は円板状でクッション性を有し、使用者Ｍの頭部ＭＡの大きさや形状に係わらず、装着部材５２を頭部ＭＡに密着性良く装着することができる。なお、吸引側パッド部材５８Ｂについては、本考案の第２の実施の形態の気体マスクセット１００（図９参照）において説明する。
【００３５】
装着部材５２の素材は軽く弾性を有する材質が好ましく例えば薄板形状のプラスチックやステンレスを好適に使用でき、プラスチックやステンレスにクッション材を被覆することで付け心地を良くすることができる。
【００３６】
また、一対のパッド部材５８のうちの吹出側パッド部材５８Ａの外側面には、気体吹出部材５４を装着部材５２に支持するための吹出側支持部材６０が設けられる。吹出側支持部材６０は、気体供給手段５６から延びた供給ホース６２が接続される吹出側支持盤６０Ａと、気体吹出部材５４に連結するための管状の吹出側支持チューブ６０Ｂとで構成される。
【００３７】
吹出側支持盤６０Ａは、内部に空洞部(図示せず)を有する円板状に形成され、空洞部に供給ホース６２が連通している。吹出側支持盤６０Ａは吹出側パッド部材５８Ａと一体的に形成される。また、吹出側支持チューブ６０Ｂの一方端は吹出側支持盤６０Ａの空洞部に連通して接続されると共に他方端は気体吹出部材５４の基端部に設けられた接続部５４Ａに着脱自在に接続される。
【００３８】
（気体吹出部材）
図３及び図４に示すように、気体吹出部材５４は、内部が空洞な棒形状に形成され、先端部５４Ｂが閉塞されている。そして、気体吹出部材５４の長手方向には、複数の吹出孔５４Ｃ（図３）又は吹出スリット５４Ｄ（図４）が形成される。気体吹出部材５４の長手方向に複数の吹出孔５４Ｃ又は吹出スリット５４Ｄを形成することによって、気体吹出部材５４から吹き出された気流がエアーカーテンを形成する。
【００３９】
図５及び図６は気体吹出部材５４の好ましい態様であり、気体吹出部材５４の長手方向に、複数の吹出孔５４Ｃが２列以上（図５）又は吹出スリット５４Ｄが２列以上（図６）形成されている場合である。本実施の形態では、複数の吹出孔５４Ｃが３列形成された場合、吹出スリット５４Ｄが３列形成された場合で図示している。
【００４０】
図５及び図６の気体吹出部材５４は、エアーカーテンＡが３枚積層されるので、厚みのあるエアーカーテンＡを形成することができる。なお、気体吹出部材５４の接続部５４Ａは吹出側支持チューブ６０Ｂに対して着脱自在な接続構造に形成されており、図３から図６の気体吹出部材５４を必要に応じて適宜使い分けする。
【００４１】
また、気体吹出部材５４は可撓性を有することが好ましい。気体吹出部材５４に可撓性をもたせる方法はどのような方法でもよいが、例えば軟質なプラスチックチューブの中に０．６ｍｍ〜１．０ｍｍの金属製の線材、例えばアルミニウム、ステンレス、鉄等の線材を入れる方法が好適である。線材のうちアルミニウムの線材は、他の金属製の線材に比べて軽く曲げ易いので特に好ましい。
【００４２】
このように、気体吹出部材５４に可撓性を持たせることによって、棒形状の気体吹出部材５４を自由に撓ませたり曲げたりすることができ、撓ませた状態や曲げた状態で気体吹出部材５４の形が固定される。したがって、気体吹出部材５４を例えば顔面の湾曲に沿って湾曲形状に撓ませたり、気体吹出部材５４を顔面の頬や鼻等の凹凸に対応させて曲げたりすることもできる。これにより、顔面に対して密着性の良いエアーカーテンＡを形成できる。
【００４３】
また、気体吹出部材５４を装着部材５２に支持するための吹出側支持チューブ６０Ｂについても気体吹出部材５４と同様に可撓性を持たせることが好ましい。これにより、可撓性を有する許容長さが長くなるので、気体吹出部材５４にだけ可撓性をもたせる場合に比べて色々な形状に撓ませたり曲げたりするフレキシビリティ性が向上する。更には、吹出側支持チューブ６０ＢをＬ字形状に曲げる位置を変えることで、気体吹出部材５４と顔面との距離を近づけたり遠ざけたりすることもできる。
【００４４】
（気体供給手段）
気体供給手段５６は、気体を気体吹出部材５４に供給するものであり、供給する気体は、人体に悪影響のない例えば、空気、水素ガス、酸素ガス、窒素ガス等の単一ガス又は２種以上の混合気体を好適に使用できる。また、菌やウイルスに対して除菌性を有する気体（ミストも含む）を単独で使用したり、上記の単一ガス又は混合気体に含有させたりして気体吹出部材５４に供給することもできる。
【００４５】
除菌性を有する気体の一例としては、レジオテック社のモルキラーＭＺを使用することができる。モルキラーＭＺの主成分は、アルキル・ジメチル・ベンジルアンモニウムクロライド（第４級塩）と２−フェノキシエタノールの混合物で、人体に無害であるとされている。
【００４６】
また、除菌性を有する気体としてオゾンも可能であるが、この場合には人体に悪影響がないとされている０．１ｐｐｍの濃度以下になるようにする。また、吹出側支持チューブ６０ＢをＬ字形状に曲げる位置を変えることで、気体吹出部材５４と顔面との距離を遠ざけるようにしてもよい。
【００４７】
上記した気体のうちでは特に水素と空気の混合気体であることが好ましい。近年、高濃度の水素ガスを吸引することによって健康にとって悪玉の活性酸素を除去する効果があると言われている。この結果、血流が改善され、人間の健康改善に有効であることが認識されてきており、水素と空気の混合気体を気体吹出部材５４から吹き出すことによって、エアーカーテンＡによる飛沫遮蔽効果に加えて、水素の吸引による健康改善効果の両方を一度に行うことができる。
【００４８】
また、気体供給手段５６には、供給ホース６２の一端を連結する連結具５６Ａが設けられる。この連結具５６Ａは、連結具５６Ａに連結された供給ホース６２が引っ張られると外れる連結構造に形成されることが好ましい。これにより、例えば座った状態で気体マスクセット５０を使用している使用者Ｍが急に立ち上がったときに供給ホース６２が引っ張られても、供給ホース６２は気体供給手段５６から外れる。これにより、使用者Ｍが何らかのケガを負うことも気体供給手段５６が破損することもない。
【００４９】
また、気体供給手段５６には、気体吹出部材５４に供給する気体を冷却する冷却部（図示せず）を設けることが好ましい。これにより、夏場に本考案の気体マスクセット５０を使用しても、通常のマスクのように暑苦しいことはなく逆に涼しさを付与することができる。これにより、感染症対策に加えて熱中症を防止することもできる。
【００５０】
気体供給手段５６としては、気体を液化状態で貯留するポータブルタイプのガスボンベ(図示せず)又は気体を発生させるポータブルタイプの水素発生装置１（図１２参照）の何れでもよいが、ガスボンベは頻繁な交換を必要とするので、水素発生装置１がより好ましい。したがって、本考案の実施の形態の気体マスクセット５０では、気体供給手段５６として水素と空気の混合気体を発生させる水素発生装置１の例で説明するが、水素発生装置１については気体マスクセット５０の作用効果、第２の実施の形態の気体マスクセット１００の全体構成及び作用効果を説明した後で詳細に説明する。
【００５１】
（気体マスクセットの第１の実施の形態の作用効果）
上記の如く構成された本考案の気体マスクセット５０の第１の実施の形態によれば、気体供給手段５６で生成された気体は、供給ホース６２、吹出側支持盤６０Ａ、吹出側支持チューブ６０Ｂを介して気体吹出部材５４に供給される。
【００５２】
そして、図７に示すように、気体吹出部材５４に供給された気体は、複数の吹出孔５４Ｃ又は吹出スリット５４Ｄから吹き出され、使用者Ｍの顔面に沿ったエアーカーテンＡを形成する。この場合、使用者Ｍの口ＭＤや鼻ＭＣをエアーカーテンＡで確実に覆うことができるように、気体吹出部材５４の棒形状の長さは顔幅よりも長いことが好ましい。
【００５３】
ここで、エアーカーテンＡとは空気によるエアーカーテンに限らず他の気体によるエアーカーテンも含む。
【００５４】
気体吹出部材５４の長手方向に複数の吹出孔５４Ｃを形成してエアーカーテンＡを形成するには、吹出孔５４Ｃ同士の間隔を狭くすることが好ましい。また、吹出孔５４Ｃ及び吹出スリット５４Ｄの何れの場合にも、気体吹出部材５４から吹き出した気体でエアーカーテンＡを形成するには、吹出孔５４Ｃ及び吹出スリット５４Ｄから吹き出す気体の平均吹出風速が毎秒２〜５ｍになるようにすることが好ましい。
【００５５】
平均吹出風速が毎秒２ｍ以上であれば、顔面の長さ程度の距離においてエアーカーテンＡを確実に形成できる。また、平均吹出風速を上げればエアーカーテンＡによる飛沫遮蔽効果は高まっていくが顔面近傍に強い気流が発生することは不快に感じる。したがって、平均吹出風速の上限は５ｍであることが好ましい。より好ましくは吹き出す気体の平均吹出風速が毎秒２〜４ｍになるようにすることが好ましい。
【００５６】
また、平均吹出風速を大きくする場合には、吹出側支持チューブ６０ＢをＬ字形状に曲げる位置を変えることで、気体吹出部材５４と顔面との距離を遠ざけることで不快感を低減することもできる。
【００５７】
このように、気体吹出部材５４から吹き出された気体は、使用者Ｍの顔面に沿ってエアーカーテンＡを形成するので、使用者の少なくとも口ＭＤ及び鼻ＭＣをエアーカーテンＡで覆うことができる。これにより、図２で示したように、食事等の飲食の際にも不織布等で製造された通常のマスクのように顔面から外す必要がない。図２はコーヒーカップでコーヒーを飲んでいる一例である。
【００５８】
また、図８は、本考案の気体マスクセット５０の第１の実施の形態を使用する２人の使用者Ｍ１、Ｍ２が、対面して近接状態で会話をしている場面である。このような場合にも、会話による唾の飛沫はエアーカーテンＡによって遮蔽されるので、飛沫感染を防止できる。したがって、無症状であっても飛沫感染によって他人に感染させてしまう場合に特に有効である。
【００５９】
この場合、エアーカーテンＡは気流が２人の使用者Ｍ１、Ｍ２の顔面の下から上に向かって上向流が形成されるように、気体吹出部材５４を使用者Ｍ１、Ｍ２の口よりも下方に配置することが好ましい。これにより、会話による飛沫がエアーカーテンＡの上向流に乗って使用者Ｍ１、Ｍ２よりも上方に運ばれて拡散される。これにより、飛沫感染を一層防止できる。逆に、気流が上から下に流れる下向流を形成すると、飛沫が使用者Ｍ１、Ｍ２の足元に運ばれて床面近傍に溜まるので好ましくない。
【００６０】
また、気体吹出部材５４に形成する複数の吹出孔５４Ｃ又は吹出スリット５４Ｄを複数列設けることにより、形成されるエアーカーテンＡの厚みが厚くなり、会話による飛沫のエアーカーテンＡよる飛沫遮蔽効果を一層高めることができる。また、水素ガスを含有する気体のエアーカーテンＡで目ＭＥ(図７参照)も覆われるので、目の疲労回復効果も期待できる。
【００６１】
したがって、本考案の気体マスクセット５０の第１の実施の形態は、例えばレストランや居酒屋等のように飲食をともなう飲食店に複数台用意しておき、来店客に使用してもらうことで感染症対策に極めて有効である。この場合、飲食店がレンタル会社から本考案の実施の形態の気体マスクセット５０をレンタルするビジネスモデルを形成することもできる。
【００６２】
[気体マスクセットの第２の実施の形態]
図９は、本考案の気体マスクセット１００の第２の実施の形態であり、第1の実施の形態の気体マスクセット５０と同じ構成については同符号を付して説明する。
【００６３】
第２の実施の形態の気体マスクセット１００は、主として、第1の実施の形態の気体マスクセット５０の構成に加えて、気体吹出部材５４から吹き出された気体を吸引する気体吸引部材１０２と、気体吸引部材１０２に吸引力を発生する気体吸引手段１０４とを設けて構成したものである。
【００６４】
図９に示すように、気体吸引部材１０２は気体吹出部材５４と同じ装着部材５２に支持される。即ち、気体吸引部材１０２は、装着部材５２の一対のパッド部材５８のうちの吹出側パッド部材５８Ａとは反対側の吸引側パッド部材５８Ｂに設けられた吸引側支持部材１０６に支持される。
【００６５】
吸引側支持部材１０６は、主として、気体吸引部材１０２から延びた吸引ホース１０８が接続される吸引側支持盤１０６Ａと、気体吸引部材１０２に連結するための管状の吸引側支持チューブ１０６Ｂとで構成される。吸引側支持盤１０６Ａは、吹出側支持盤６０Ａと同様に内部に空洞部(図示せず)を有する円板状に形成され、空洞部に吸引ホース１０８が連通している。吸引側支持盤１０６Ａは吸引側パッド部材５８Ｂと一体的に形成される。また、吸引側支持チューブ１０６Ｂの一方端は吸引側支持盤１０６Ａの空洞部に連通して接続されると共に他方端は気体吸引部材１０２の基端部に設けられた接続部１０２Ａに着脱自在に接続される。これにより、気体吸引部材１０２で吸引された気体は、吸引側支持チューブ１０６Ｂ、吸引側支持盤１０６Ａ、吸引ホース１０８を介して気体吸引手段１０４に吸引される。
【００６６】
気体吸引部材１０２は、図３〜図６で示した気体吹出部材５４と同様の構造に形成される。即ち、気体吸引部材１０２は、内部が空洞で可撓性を有する棒形状に形成され、先端部１０２Ｂが閉塞されている。そして、気体吸引部材１０２の長手方向には、複数の吸引孔１０２Ｃ又は吸引スリット１０２Ｄが形成される。
【００６７】
また、気体吸引部材１０２の場合も、図５及び図６で示した気体吹出部材５４と同様に、気体吸引部材１０２の長手方向に、複数の吸引孔１０２Ｃが２列以上又は吸引スリット１０２Ｄが２列以上形成されていることが好ましい。
【００６８】
また、気体吸引部材１０２及び吸引側支持チューブ１０６Ｂについては、気体吹出部材５４及び吹出側支持チューブ６０Ｂと同様に可撓性をもたせることが好ましい。可撓性を持たせる方法も気体吹出部材５４及び吹出側支持チューブ６０Ｂと同様である。
【００６９】
気体吸引手段１０４としては、例えばポータブルタイプの真空ポンプを使用することができる。図９では、気体供給手段５６の内部に気体吸引手段１０４を搭載した図で示している。
【００７０】
気体吸引手段１０４には、気体吸引部材１０２で吸引した気体を除菌する除菌部(図示せず)が設けられることが好ましい。これにより、吸引した気体を除菌して室内に放出することができる。
【００７１】
（気体マスクセットの第２の実施の形態の作用効果）
上記の如く構成された本考案の気体マスクセット１００の第２の実施の形態は、図１１に示すように、気体吹出部材５４を使用者Ｍの顔面において口ＭＤよりも下方に配置し、気体吸引部材１０２を目ＭＥよりも上方に配置する。
【００７２】
したがって、気体マスクセット１００の第２の実施の形態は、気体マスクセット５０の第１の実施の形態に比べて気体吹出部材５４から吹き出す気体量が少なくても使用者Ｍの顔面に沿ってエアーカーテンＡを確実に形成し易いというメリットがある。
【００７３】
即ち、気体吹出部材５４から吹き出された気体は、使用者Ｍの顔面に沿ってエアーカーテンＡを形成するが、吹き出された気流は気体吹出部材５４から離れるに従って拡散し易くなる。このため、顔面に沿って確実にエアーカーテンＡを形成するには、気体吹出部材５４から吹き出す気体量を多くして強めに吹き出す必要がある。
【００７４】
これに対して、気体マスクセット１００の第２の実施の形態によれば、気体吹出部材５４から吹き出された気体は気体吸引部材１０２によって吸引されるので、吹き出された気流が気体吹出部材５４から離れるに従って拡散され難くなる。この結果、気体吹出部材５４と気体吸引部材１０２との間に、顔面の下方から上方へ流れる安定した気流を形成することができる。これにより、図１１に示すように、気体吹出部材５４から吹き出す気体量を少なめにして弱く吹き出しても、顔面に沿ってエアーカーテンＡを確実に形成することができる。これにより、エアーカーテンＡよる飛沫遮蔽効果を高めることができる。
【００７５】
この場合、気体吹出部材５４の複数の吹出孔５４Ｃ又は吹出スリット５４Ｄを複数列設けると共に気体吸引部材１０２の複数の吸引孔１０２Ｃ又は吸引スリット１０２Ｄを複数列設けるようにすれば、厚いエアーカーテンを安定して形成できる。これにより、エアーカーテンＡよる飛沫遮蔽効果を一層高めることができる。
【００７６】
次に気体供給手段５６の好ましい例としてポータブルタイプの水素発生装置１について詳しく説明する。
【００７７】
[水素発生装置]
図１２は、ポータブルタイプの水素発生装置１の本体を示す外観図、図１３は、水素発生装置１の内部構成を示す正面図、図１４はブロック図、図１５は、水素発生装置１に用いられる電極部２を示す説明図である。
【００７８】
水素発生装置１は、携帯できるように幅が２００〜２４０ｍｍ、高さが１２０〜１６０ｍｍ、奥行きが５０〜６０ｍｍとされ、その重量は０.６〜１ｋｇとすることが望ましい。
【００７９】
水素発生装置１は、本体がＡ４サイズ以下であり、奥行きが通常のビジネスバッグに入れられる薄さである。したがって、一般家庭のリビングルーム、レストラン、居酒屋等の室内、その他自動車などの車内に容易に設置ができ、手軽に水素発生が可能となる。
【００８０】
水素発生装置１は、水を電気分解して水素ガスを毎分４０〜６０ｍｌ、望ましくは５０ｍｌ±１０％生成する。そして、水素発生装置１は、水素ガスと空気を混ぜた混合気体を毎分５００〜１５００ｍｌの吐出ガスの量で供給すると共に気体吹出部材からの平均吹出風速が毎秒２〜５ｍになるように気体吹出部材に供給することができる。
【００８１】
また、水素発生装置１は、レストランや居酒屋等の室内や自動車等への設置を考慮して、１００Ｖの家庭用コンセント、車のシガーソケット、１２Ｖの直流電源、例えば充電池で使用可とし、使用時に倒れにくく、持ち運び時に水が漏れない構造となっている。なお、一般的な乗用車のシガーソケットはＤＣ１２Ｖ、トラックなど、大型の車両だとＤＣ２４Ｖである。
【００８２】
さらに、供給時の水素濃度は２〜１０％、特に４％がより望ましく、水素発生装置１が倒れたときに電源が切れる、水を電気分解する水タンク１１の水位が下がったり、水素ガスが詰まったりした場合、電源が切れるようにして安全性を高めている。
【００８３】
水を電気分解する水素発生装置１は、ガスボンベを用いたものに比べ、小型で、室内や自動車への設置及び保守に適した簡易な構造で、かつ、低コストで製造可能である。また、水素以外をほとんど含まないので安心して利用が可能で、長時間使用しても発熱しないので安全性を高くすることができる。
【００８４】
水素発生装置１は、水素ガスを人が吸入することにより、自律神経の機能レベルを向上させ、疲労回復、リラックス効果、高負荷の運動やストレスなどで体内に多く発生する悪玉活性酸素を排出する作用が期待できる。
【００８５】
図１２において、４０は水注入口であり、水素を発生する起動に当たって、予め蓋４０−１を図のように開けて、水、又は精製水を水タンク１１へ満たすまで入れる。４２は、起動ボタンであり、水素は、起動ボタン４２を押圧すると言うひとつの簡単操作ですばやく開始される。４３は、吐出口であり、使用時に蓋４３−１を図のように開いておく。４１は、表示部であり、水素発生していること、発生時間などを表示する。
【００８６】
また、水素発生の圧力が高くなった場合、水素量が多くなり過ぎた場合、水素発生装置１が所定の角度以上に傾いた場合、水タンク１１内の水位が低下した場合、赤く点滅して警告を表示する。例えば、警告表示は、例えば、赤く点滅して警告を表示→Ｅ１（圧力センサ作動）、Ｅ２（傾斜センサ作動）、Ｅ３（水位センサ作動）、Ｅ４（電極異常を検知）などである。また、４４は、放熱のための小穴であり、正面に多数設けられている。
【００８７】
水素発生装置１は、本体に電極部２と、水タンク１１と、気液分離器１２と、乾燥フィルタ１３と、電源部３と、制御基板４と、表示基板５とを備える。電極部２は、水電気分解用電極材料からなる水素極２２及び酸素極２３、ＰＥＭ膜（量子交換膜）２４から構成される。
【００８８】
電極部２は、少なくとも水の水供給接続部３４と水素ガスを吐出させる水素吐出部３１とが設けられる密閉容器を有するように形成される。水タンク１１は、水、望ましくは精製水が入れられる。また、水タンク１１から電極部２への給水管３４−１は、素材としては例えば、樹脂を用いる。
【００８９】
電極部２は密閉容器内で形成され、密閉容器の中で水素極２２と酸素極２３とが電解質膜（ＰＥＭ膜２４）の両側を挟むように設けられる。密閉容器は、例えば非導電性材料で形成される。もしくは、主に金属材料で形成されていても、非導電性のシートで容器内部側が覆われている等が望ましい。
【００９０】
電極部２は、水タンク１１から供給された精製水を電気分解して、水素ガスを生成する。電極部２は、例えば単一のセルユニット構成の場合、電極間印加電圧１．６Ｖ以上で水を電気分解することが可能である。電源部３は、電極部２における水素極２２と酸素極２３との間に直流電圧を印加して、直流の電気を供給する。
【００９１】
また、電源部３は、その他にも、図１４に示す制御基板４、表示基板５、センサ・計器類などに対して、必要な電圧レベルの電気を供給する。電力は、１００Ｖコンセント、又は１２Ｖで供給され、２０〜４０Ｗ程度で発生ガス純度９９．９９９％の水素ガスを毎分５０ｍｌ吐出する。
【００９２】
水タンク１１は、電気分解するための水、又は精製水を電極部２へ補給するだけでなく、気液分離器１２及び電極部２から循環して戻される水を、受け入れ可能なように流路３２−１、３１−１が設けられている。流路３２−１、３１−１は、給水管３４−１と同一の素材である柔軟性がある樹脂が用いられる。気液分離器１２は、電極部２から吐出される水素ガスを含む水から、水と水素ガスを分離する。
【００９３】
気液分離器１２は、水と水素ガスを分離後に、流路３１−１を通じて水を水タンク１１に戻し、水素ガスを乾燥フィルタ１３へ吐出する。乾燥フィルタ１３は、気液分離器１２から吐出された水分を含む水素ガスを通し、水素ガスを通過させる間のフィルタにより水分を除去して乾燥させる。乾燥フィルタ１３は、流路１３−１を介して、乾燥させた水素ガスを吐出する。
【００９４】
水素量計１１４は、流路１３−１を通る水素ガスの流量を測定する。水素量計１１４は、測定データを制御基板４に送出する。例えば、制御基板４は、測定データに基づいて、水素ガスの生成量として換算して水素ガスの生成量を調節する。液面センサ１１１は、水タンク１１に貯蔵される水の液面を測定する水位センサである。
【００９５】
制御基板４は、液面センサ１１１により、水の残量を検知して、水位が所定値よりも低下、あるいは水がなくなったときに水素の生成を停止し、空焚きを防止する。液面センサ１１１は、測定データを制御基板４に送出する。電極電流検知センサ１１２は、電極部２を流れる電流を測定する。電極電流検知センサ１１２は、測定データを制御基板４に送出する。
【００９６】
水素圧力センサ１１３は、乾燥フィルタ１３の出口側に設けられ、乾燥フィルタ１３から吐出される水素ガスの圧力を測定する。水素圧力センサ１１３は、測定データを制御基板４に送出する。これにより、ガス発生圧力は、０.０１〜０．４ＭＰａに調整され、高圧になる前に、表示部４１の水素発生確認窓が赤く点滅し自動的に水素生成をストップする。
【００９７】
乾燥フィルタ１３から吐出された水素ガスは、水素量計１１４を介して流路１３−１を通ってエアポンプ３７の吸い込み口と連結されて、矢印３７−１のように合流する。エアポンプ３７は、矢印３７−２のように空気を吸い込む。したがって、水素ガスと空気は、矢印３７−１で合流して、矢印３７−３のように吐出口４３から混合されて吐出される。
【００９８】
なお、給水管３４−１、各流路（３２−１、３１−１）は、柔軟性のある樹脂とされている。したがって、各構成要素（水タンク１１、電極部２、制御基板４、表示基板５、乾燥フィルタ１３、気液分離器１２、水素量計１１４など）をコンパクトに配置が可能となる。したがって、給水管３４−１、各流路（３２−１、３１−１）を柔軟性のある樹脂とすることは、水素発生装置１の小型化、薄型化に大きく貢献している。
【００９９】
制御基板４は、各種センサから測定される測定データを収集し、収集した測定データに基づいて、各状態（水素ガス量・水残量・電極電流等）を監視する。例えば、制御基板４は、電極電流検知センサ１１２で過電流を検出した場合に、電源部３からの電気の供給を停止させる保護機能などが設けられている。
【０１００】
制御基板４は、メモリ、ＣＰＵなどを有し、監視・保護・制御機能が組み込まれたプログラムにより、監視・保護・制御の動作処理が実行される。また、制御基板４は、水素発生装置１の運転時間が長くなって所定時間を超えた場合、水素の生成を停止する。
【０１０１】
また、３６は、傾斜センサであり、水素発生装置１の傾き、あるいは電極部２の傾きを検出する。なお、実際には、電極部２の傾きが重要であり、電極部２が傾くと水が均等に行かないので、水素の生成に障害となる。したがって、傾斜センサ３６は、水素発生装置１の本体のいずれかの個所でもよいが、電極部２に直接設けることがより望ましい。
【０１０２】
その他、水素発生装置１が所定の角度以上に傾いた場合、水が漏れ、電源部３や制御基板４へ影響する恐れがある。制御基板４は、傾斜センサ３６によって水素発生装置１が所定の角度、例えば１０〜４５°以上の傾きが検出された場合、警報を鳴らし、水素の生成を停止する。また、傾斜センサ３６によって水素発生装置１が倒れたことが検出されたときには電源が切れる。
【０１０３】
特に、自動車で使用するときは、カーブで傾斜センサ３６が誤動作する恐れがあるので、警報を鳴らす、又は水素の生成を停止する角度の設定は、重要である。水素発生装置１の傾きが１０〜４５°未満場合は、許容範囲とすることが実用的である。また、制御基板４は、水素発生装置１が倒れた場合には電源も切断する。傾斜センサ３６は、気泡や振り子を利用した機械的なもの、ポテンショメータや磁気を利用したもの、ＭＥＭＳ技術を利用したもの、電解液の傾きを利用したものが使用される。
【０１０４】
傾斜センサ３６は、ＭＥＭＳ技術を利用したものが水素発生装置１への設置が容易、ゴミ、水の侵入に対して有利、小型な点で適している。図１６は、ＭＥＭＳ技術を利用した傾斜センサ３６を示す平面図であり、筐体３６−１の中に可動電極３６−３と固定電極３６−２を配置している。
【０１０５】
可動電極３６−３は、スプリング３６−４に取り付けられて自由に移動可能となっている。検出は、傾斜センサ３６が水平時の静電容量測定を基準とする。そして、傾斜センサ３６が傾くと、可動電極３６−３の自由端は、固定電極３６−２に対して、その位置が変わり、同時に静電容量も変化する。そして、その静電容量の変化量は、傾斜角度に変換される。
【０１０６】
表示基板５は、電源部３の電源ＯＮ／ＯＦＦ状態、運転時間や警告（過電流のアラームなど）状態、上述したような各種測定データ等を表示部４１で表示可能なように、ランプ表示、計器表示、液晶データ表示などを制御する。
【０１０７】
水素発生装置１は、上述したように、非常に簡易な部品で、構成可能である。また、これらの部品は、交換部品の寿命が長いため、修理・交換・点検などの保守を容易に行うことができる。また、水素発生装置１は、水の電気分解により水素ガスを生成するため、純度の高い水素ガスを生成することができる。さらに、装置を起動、起動ボタン４２を押圧すると同時に、水素ガスを生成することができる。
【０１０８】
また、水素発生装置１の本体側は、液面センサ１１１、電極電流検知センサ１１２、水素圧力センサ１１３、水素量計１１４を備える。液面センサ１１１は、貯蔵された水の水位低下などを検出して水がなくなったときに空焚きを防止する。
【０１０９】
水素圧力センサ１１３は、水素ガスの圧上昇を検出し、水素ガスが吐出できなくなったときに電源を切る。水素量計１１４は、水素ガスが詰まったら電源を切る。制御基板４は、これらの異常等の検出を監視し、装置保護等のために電源部３の電圧印加を停止させて、水素ガス生成を自動停止させる。これにより、水素発生装置１は、安全性に優れた装置となる。
【０１１０】
図１５は、電極部２の構造を示し、電極部２は、固体高分子膜型水電気分解電極の一例である。電極部２は、水素極２２、酸素極２３及びＰＥＭ膜２４を容器中に含む密閉容器である。この密閉容器には、水素収容部２５、水収容部２６、水素吐出部３１、酸素排出部３３、水排出部３２及び水供給接続部３４が設けられている。
【０１１１】
密閉容器は、水素極２２側と酸素極２３側とで区画されている。水素極２２側の区画内における水素収容部２５の上部に水素吐出部３１が設けられ、酸素極２３側の区画内における水収容部２６の上部に酸素排出部３３が設けられている。上部に設けることは、電極部２から水素ガスの吐出及び酸素ガスの排出の効率を良くすることになる。
【０１１２】
酸素極２３は、白金族元素（Ｒｕ、Ｒｈ、Ｐｄ、Ｏｓ、Ｉｒ、Ｐｔ）を含有しない酸素極触媒層を有する水電気分解用電極材料からなる陽極である。酸素極２３側では、例えば外部の排出口と接続される酸素排出部３３、及び、酸素極２３で生成された酸素及び水供給接続部３４から供給された水を収容する水収容部２６を介して、酸素（Ｏ２）が排出される。
【０１１３】
水電気分解用電極材料（水素極２２及び酸素極２３）は、白金族元素以外の異なる遷移金属又はそれらと他の金属の組み合わせで、高活性の触媒作用を有する水電気分解用電極材料である。また、水電気分解用電極材料は、Ｆｅ又はＮｉを主成分とする成形体であって、金属材料としてＦｅ又はＮｉと３ｄ遷移金属に属する複数の異なる遷移金属を少なくとも含有する成形体からなる。この成形体は、これら金属材料の各々の粉体を含む混合物からなり、かつ、電極部２に使用される水、水素ガス、酸素ガスが成形体を透過可能なように成形体に分散した空隙を有するように、当該各々の粉体が混合されて形成されたものである。
【０１１４】
酸素極２３におけるＰＥＭ膜２４側の近傍では、水供給接続部３４から供給されて水収容部２６に蓄積されている水（Ｈ２Ｏ）が電気分解し、水素イオン（Ｈ＋）及び電子（ｅ−）と、酸素（Ｏ２）とが生成される。この生成された水素イオンは、ＰＥＭ膜２４を通って水素極２２へ移動し、生成された電子は、酸素極２３に接続される電極接続端子３５及び電源部３を通って、水素極２２へ移動する。すなわち、２Ｈ２Ｏ→４Ｈ＋＋Ｏ２＋４ｅ−の反応により、水（Ｈ２Ｏ）が電気分解される。なお、生成された酸素は、例えば酸素排出部３３から外部へと排出される。
【０１１５】
ＰＥＭ（Ｐｒｏｔｏｎ  Ｅｘｃｈａｎｇｅ  Ｍｅｍｂｒａｎｅ）膜２４は、水素極２２と酸素極２３とに挟まれる構造で設けられる。ＰＥＭ膜２４は、水が電気分解されてできる水素イオン（Ｈ＋）を、酸素極２３側から水素極２２側へ透過させることができる電解膜である。
【０１１６】
水素極２２は、白金族元素を含有しない水素極触媒層を有する水電気分解用電極材料からなる陰極である。水素極２２側では、例えば外部の水素供給先と接続される水素吐出部３１、及び水素ガスを水素ガス供給先へ吐出する水素収容部２５を介して、水素ガス（Ｈ２）が吐出される。
【０１１７】
水素極２２において、生成された水素イオン（Ｈ＋）と電子（ｅ−）とが、２Ｈ＋＋２ｅ−→Ｈ２の反応によって、水素ガスが生成される。この際に、酸素極２３側で生成された水素イオンはＰＥＭ膜２４の膜内を通り、また、酸素極２３から移動する電子は、水素極２２に接続される電極接続端子３５及び電源部３を通って、水素極２２へと移動する。
【０１１８】
３８は、バーコードであり、電極部２あるいは水素発生装置１のいずれかの個所に設けられている。バーコード３８は、真贋判定機能のために設ける。真贋判定機能は、水素発生装置１の性能、安全性、保守、点検を保障するために必要とされる。
【０１１９】
バーコード３８は、電極部２の外表面、あるいは酸素極２３、水素極２２に紫外線又は赤外線で発光するインクで描く、もしくは酸素極２３、水素極２２の空隙間の一部に赤外線又は紫外線で発光する発光物質を担持させても良い。これにより、水素発生装置１の偽造品が出た場合は、その発光物質の有無をもって真贋判定ができる。
【０１２０】
バーコード３８は、縞模様状の線の太さによって製造番号などを示す数字、文字、記号の少なくともいずれかを示す情報を一定の規則に従い一次元のコード（符号）に変換した識別子である。もちろん、バーコード３８は、一次元のコードに代えて、二次元コードであるＱＲコード（登録商標）であっても良い。また、バーコード３８を一次元のコードとして、その一部を紫外線で発光するインク、及び残り部、あるいは少なくとも残り部の一部を赤外線で発光するインクで記載することがより望ましい。これにより、判別するときは、紫外線及び赤外線の両方をバーコード３８へ照射しなければ全部が分からないようにして、防御性、信頼性を高めている。なお、紫外線及び赤外線の両方のインクを使用するときは、一次元のコードの作成が容易となり、適している。
【０１２１】
紫外線で発光するインク、あるいは発光物質は、バリウム マグネシウム アルミネート：ユウロピウム、マンガン（ＢａＭｇ２Ａｌ１６Ｏ２７：Ｅｕ、Ｍｎ）を主成分として含むものが望ましい。紫外線で発光するインクは、紫外線を当てると蛍光によって光るもの（例えば、蓄光顔料）であり、普段は無色のブラックライトなどで発光発色する。蓄光顔料は、アルミン酸ストロンチウム系（グリーン発光／ブルー・グリーン発光）、珪酸ストロンチウム・珪酸マグネシウム系（ブルー発光）などが良い。
【０１２２】
赤外線で発光するインク、あるいは発光物質は、オキシサルファイド系希土類が望ましい。特に、セリウム（Ｃｅ３＋）、クロム（Ｃｒ３＋）、エルビウム（Ｅｒ３+）を微量に添加したイットリウム（Ｙ）アルミニウム（Ａｌ）ガリウム（Ｇａ）ガーネットと呼ばれる結晶構造の金属酸化物が望ましい。この金属酸化物は、光散乱損失が低く、長残光が可能となる。
【０１２３】
バーコード３８を酸素極２３、水素極２２の空隙間に発光物質として担持させる場合は、発光物質が複数の空隙の一部にあるだけでも良く、接着剤等により空隙中に固定されていても良い。接着剤を用いる場合、接着剤は、例えば、フェノール樹脂系接着剤、エポキシ樹脂系接着剤などにより、酸素極２３、水素極２２の表面に固定することができる。
【０１２４】
図１７は、水素発生装置１の底部を示す底面図（携帯時）、図１８は、水素発生装置１の底部を示す底面図（使用時）である。図１７は、足板４６を底板４５へ収納した状態である。足板４６は、矢印４６−１方向へ回転が可能とされ、図１８のように底板４５に対して足板４６の長手方向が垂直とすることができる。水素発生装置１を持ち運ぶときは、図１７の状態にすれば、薄型であるのでビジネスバッグの中に入れることも可能である。
【０１２５】
水素発生装置１の使用時は、図１８のように足板４６を回転させることで、倒れにくく、水が漏れる恐れがないようにできる。本実施の形態における水素発生装置１は、小型で軽量なので持ち運びにも便利、１００Ｖのコンセント、車のシガーソケット、１２Ｖ出力の充電池、あるいは電源で使用可なので海外でも使用できる。また、水素発生装置１は、ソファー、ベッド、デスク、寝室などの一般家庭やレストラン、居酒屋等の様々な場所で設置が可能となる。
【符号の説明】
【０１２６】
１…水素発生装置、２…電極部、３…電源部、４…制御基板、５…表示基板、１１…水タンク、１２…気液分離器、１３…乾燥フィルタ、１３−１、３１−１、３２−１…流路、２２…水素極、２３…酸素極、２４…ＰＥＭ膜、２５…水素収容部、２６…水収容部、３１…水素吐出部、３２…水排出部、３３…酸素排出部、３４…水供給接続部、３４−１…給水管、３５…電極接続端子、３６…傾斜センサ、３６−１…筐体、３６−２…固定電極、３６−３…可動電極、３６−４…スプリング、３７…エアポンプ、３７−１、３７−２、３７−３、４６−１…矢印、３８…バーコード、４０−１、４３−１…蓋、４１…表示部、４２…起動ボタン、４３…吐出口、４５…底板、４６…足板、５０…気体マスクセット（第１の実施の形態）、５２…装着部材、５２Ａ…バンド部分、５２Ｂ…スライドアジャスター、５４…気体吹出部材、５４Ａ…接続部、５４Ｂ…先端部、５４Ｃ…吹出孔、５４Ｄ…吹出スリット、５６…気体供給手段、５６Ａ…連結具、５８…パッド部材、５８Ａ…吹出側パッド部材、５８Ｂ…吸引側パッド部材、６０…吹出側支持部材、６０Ａ…吹出側支持盤、６０Ｂ…吹出側支持チューブ、６２…供給ホース、１００…気体マスクセット（第２の実施の形態）、１０２…気体吸引部材、１０２Ａ…接続部、１０２Ｂ…先端部、１０２Ｃ…吸引孔、１０２Ｄ…吸引スリット、１０４…気体吸引手段、１０６…吸引側支持部材、１０６Ａ…吸引側支持盤、１０６Ｂ…吸引側支持チューブ、１０８…吸引ホース、１１１…液面センサ、１１２…電極電流検知センサ、１１３…水素圧力センサ、１１４…水素量計、Ａ…エアーカーテン、Ｍ…使用者、ＭＡ…頭部、ＭＢ…顔部、ＭＣ…鼻、ＭＤ…口、ＭＥ…目
【図１】
0003228244.tif 000003
【図２】
0003228244.tif 000004
【図３】
0003228244.tif 000005
【図４】
0003228244.tif 000006
【図５】
0003228244.tif 000007
【図６】
0003228244.tif 000008
【図７】
0003228244.tif 000009
【図８】
0003228244.tif 000010
【図９】
0003228244.tif 000011
【図１０】
0003228244.tif 000012
【図１１】
0003228244.tif 000013
【図１２】
0003228244.tif 000014
【図１３】
0003228244.tif 000015
【図１４】
0003228244.tif 000016
【図１５】
0003228244.tif 000017
【図１６】
0003228244.tif 000018
【図１７】
0003228244.tif 000019
【図１８】
0003228244.tif 000020